(57)【特許請求の範囲】
【請求項１】
車両前後方向に延びる樹脂製フェンダを板金製車体に取り付ける車両用樹脂フェンダの車体取付け構造において、
前記樹脂製フェンダの前端部，後端部の一方の端部を車体に固定し、
他方の端部を、該樹脂製フェンダの上下方向の熱膨張により
車幅方向内側に移動させるスライド機構を介して前記車体に連結した
ことを特徴とする車両用樹脂製フェンダの車体取付け構造。
【請求項２】
請求項１に記載の車両用樹脂製フェンダの車体取付け構造において、
前記スライド機構は、前記車体と樹脂製フェンダの何れか一方に形成され、車幅方向内側ほど高くなるように傾斜する上部傾斜面及び車幅方向内側ほど低くなるように傾斜する下部傾斜面と、何れか他方に形成され、前記上部傾斜面に摺動可能に当接する上部突起部及び下部傾斜面に摺動可能に当接する下部突起部とを有する
ことを特徴とする車両用樹脂製フェンダの車体取付け構造。
【発明の詳細な説明】
【技術分野】
【０００１】
本発明は、樹脂製フェンダの取付け構造に関し、特に高温時の熱膨張による車幅方向外方への寸法変化を抑制できるようにした取付け構造の改善に関する。
【背景技術】
【０００２】
樹脂製フェンダは、板金製の車体に比較して高温時の熱膨張量が大きいため、樹脂製フェンダの採用に当たっては高温時の寸法変化を抑制することが要請される。樹脂製フェンダの気温変化による伸縮を吸収する取付け構造として、従来例えば特許文献１に開示されたものがある。
【０００３】
この従来構造では、軽合金鋳物製の車体パネルに樹脂製フェンダを取り付ける場合に、長手方向のフランジ部にスライド機構を設け、長手方向の稜線の裏面に脆弱部を設けるとともに、該脆弱部の側近に補強リブを設けている。
【先行技術文献】
【特許文献】
【０００４】
【特許文献１】特開２００１−２０６２４７号公報
【発明の概要】
【発明が解決しようとする課題】
【０００５】
前記従来構造では、樹脂製フェンダの表面に沿った方向における熱膨張に対応できるものの、車幅方向外方への寸法変化の抑制については考慮されていない。従って、例えば軽自動車のように全幅寸法規制がある車両において、前記従来技術を採用した場合、樹脂製フェンダを車幅方向最外側に位置するように配置すると、熱膨張により全幅規制値をオーバーする恐れがある。
【０００６】
本発明は、前記従来の状況に鑑みてなされたもので、高温時の熱膨張による車幅方向外方への寸法変化を抑制でき、樹脂製フェンダを車幅方向最外側に配置した場合であっても、全幅寸法規制値をオーバーすることのない車両の樹脂製フェンダ取付け構造を提供することを課題としている。
【課題を解決するための手段】
【０００７】
請求項１の発明は、車両前後方向に延びる樹脂製フェンダを板金製車体に取り付ける車両用樹脂製フェンダの車体取付け構造において、前記樹脂製フェンダの前端部，後端部の一方の端部を車体に固定し、他方の端部を、該樹脂製フェンダの上下方向の熱膨張により該他方の端部を車幅方向内側に移動させるスライド機構を介して前記車体に連結したことを特徴としている。
【０００８】
請求項２の発明は、請求項１に記載の車両用樹脂製フェンダの車体取付け構造において、前記スライド機構は、前記車体と樹脂製フェンダの何れか一方に形成され、車幅方向内側ほど高くなるように傾斜する上部傾斜面及び車幅方向内側ほど低くなるように傾斜する下部傾斜面と、何れか他方に形成され、前記上部傾斜面に摺動可能に当接する上部突起部及び下部傾斜面に摺動可能に当接する下部突起部とを有することを特徴としている。
【発明の効果】
【０００９】
請求項１の発明では、前記樹脂製フェンダの一方の端部を車体に固定し、他方の端部を、該樹脂製フェンダの上下方向の熱膨張により該他方の端部を車幅方向内側に移動させるスライド機構を介して前記車体に連結したので、温度上昇により樹脂製フェンダが上下方向に膨張すると、この熱膨張に伴ってスライド機構が樹脂製フェンダの他方の端部を車幅方向内側に移動させるので、樹脂製フェンダの車幅方向外側への寸法変化を抑制でき、樹脂製フェンダを車幅方向最外側に配置した場合でも、全幅規制値をオーバーするのを回避できる。
【００１０】
また、請求項２の発明では、樹脂製フェンダが上下方向に熱膨張すると、樹脂製フェンダ又は車体の一方に形成された車幅方向内側に傾斜する傾斜面に対して他方に形成された突起部が摺動することにより、樹脂製フェンダの端部は車幅方向内側に移動する。その結果、樹脂製フェンダは車幅方向外側にはほとんど変位しないので、該樹脂製フェンダを車幅方向最外側に配置した場合でも、全幅規制値をオーバーすることはない。
【図面の簡単な説明】
【００１１】
【図１】本発明の実施例１による樹脂製フェンダの取付け構造が採用された車両の右斜め前方から見た斜視図である。
【図２】前記取付け構造の断面平面図（図１のII-II線断面図）である。
【図３】前記樹脂製フェンダの右斜め後方から見た斜視図である。
【図４】前記取付け構造を模式的に示す背面図である。
【図５】前記取付け構造の断面模式側面図（図４のV-V線断面図)である。
【図６】前記取付け構造の作用効果を説明するための模式図である。
【発明を実施するための形態】
【００１２】
以下、本発明の実施形態を添付図面に基づいて説明する。
【実施例１】
【００１３】
図において、１は本実施例構造が採用された自動車の車体前部であり、これはエンジンルーム２を開閉するフード３と、該エンジンルーム２の前壁を構成するフロントバンパ４と、エンジンルーム２の左，右側部に配設されたフェンダメンバ（図示せず）を左，右側方から覆うとともに、前輪１０を上方から覆うように配置された樹脂製のフロントフェンダ（樹脂製フェンダ）５，５とを備えている。また前記フロントフェンダ５の後方には、車室７の左，右のドア開口を開閉する左，右のフロントドア６，６が配設されている。
【００１４】
前記フロントドア６は、アウタパネル６ａとインナパネル６ｂとを最中状をなすように突き合わせるとともに、その周縁部をヘミング加工により結合したドアパネルと、該ドアパネル内に配置されたドアガラス駆動機構（図示せず）等を有する。
【００１５】
また、前記フロントドア６は、前記インナパネル６ｂの前壁部に配設されたヒンジリインホース６ｃ部分にボルト６ｄで締め付け固定されたヒンジ８のドア側ヒンジ８ａを有する。
【００１６】
前記エンジンルーム２と車室７との境界部分にはフロントピラー９が配置されている。このフロントピラー９は、インナピラー９ａとアウタピラー９ｂとを閉断面をなすように結合して上下方向に延長した筒状体である。前記アウタピラー９ｂのヒンジリインホース９ｃ部分に前記ヒンジ８のボディ側ヒンジ８ｂがボルト締め固定さており、これにより前記フロントドア６はフロントピラー９により車室７を開閉自在に支持されている。
【００１７】
前記フロントフェンダ５は、前記前輪１０の上縁形状に略沿う円弧状の下縁部５ａを有する本体部５ｂと、該本体部５ｂの車両前後方向後端部において車幅方向内側に折り曲げ形成され、後述するスライド機構を介して車体側に連結される取付けフランジ部５ｃと、前記本体部５ｂの上縁に形成された上縁取付けフランジ部（図示せず）とを有し、前記下縁部５ａが車幅方向最外側に位置するように配設されている。
【００１８】
また、前記左，右のフロントフェンダ５の前端部５ｄは、前記フロントバンパ４を固定するバンパブラケットに固定され、前記上縁取付けフランジ部は前記フェンダメンバに車両前後方向スライド可能に連結されている。
【００１９】
そして前記後端部の取付けフランジ部５ｃは、該樹脂製フロントフェンダ５の上下方向の熱膨張により該取付けフランジ部５ｃを車幅方向内側に移動させる上部スライド機構１１，下部スライド機構１３を介して前記フロントピラー９のアウタピラー９ｂに連結されている。
【００２０】
前記取付けフランジ部５ｃには前記上部スライド機構１１及び前記下部スライド機構１３と、位置決め機構１２が設けられている。
【００２１】
前記位置決め機構１２は、前記アウタピラー９ｂにスポット溶接により固定された板金製のＬ字形状の位置決めブラケット１２ａと、該位置決めブラケット１２ａに形成された長孔１２ｂに挿通された位置決めピン１２ｃとを有する。
【００２２】
前記長孔１２ｂは車幅方向の長軸を有し、前記取付けフランジ部５ｃには位置決め孔１２ｄが形成されており、前記位置決めピン１２ｃは前記長孔１２ｂ及び位置決め孔１２ｄを貫通し、前記位置決めブラケット１２ａと取付けフランジ部５ｃを挟持している。
【００２３】
これにより前記フロントフェンダ５の取付けフランジ部５ｃの上下方向の移動は規制され、車幅方向の移動は許容されている。
【００２４】
前記上部スライド機構１１は、前記フロントピラー９のアウタピラー９ｂにスポット溶接された板金製Ｌ字形状の上部ブラケット１１ａと、該上部ブラケット１１ａに形成された平行四辺形状の上部開口１１ｂと、前記取付けフランジ部５ｃに前記上部開口１１ｂ内に位置するように突設された平行四辺形状の上部突部１１ｃとを有する。前記上部ブラケット１１ａは上部突部１１ｃを貫通するピン１１ｄにより取付けフランジ部５ｃに相対的に摺動可能に挟持されている。
【００２５】
前記上部開口１１ｂの上縁は車幅方向内側ほど上方に位置するよう傾斜する上部傾斜面１１ｂ′となっており、また前記上部突部１１ｃの上縁は前記上部傾斜面１１ｂ′と同様に車幅方向内側ほど上方に位置するよう傾斜する上部摺接面１１ｃ′となっており、該上部摺接面１１ｃ′は前記上部傾斜面１１ｂ′上を摺動可能となっている。
【００２６】
前記下部スライド機構１３は、前記フロントピラー９のアウタピラー９ｂにスポット溶接された板金製Ｌ字形状の下部ブラケット１３ａと、該下部ブラケット１３ａに形成された平行四辺形状の下部開口１３ｂと、前記取付けフランジ部５ｃに前記下部開口１３ｂ内に位置するように突設された平行四辺形状の下部突部１３ｃとを有する。前記下部ブラケット１３ａは下部突部１３ｃを貫通するピン１３ｄにより取付けフランジ部５ｃに相対的に摺動可能に挟持されている。
【００２７】
前記下部開口１１ｂの下縁は車幅方向内側ほど下方に位置するよう傾斜する下部傾斜面１３ｂ′となっており、また前記下部突部１３ｃの下縁は前記下部傾斜面１３ｂ′と同様に車幅方向内側ほど下方に位置するよう傾斜する下部摺接面１３ｃ′となっており、該下部摺接面１３ｃ′は前記下部傾斜面１３ｂ′上を摺動可能となっている。
【００２８】
本実施例では、樹脂製フロントフェンダ５の前端部５ｄを車体に固定し、後端の取付けフランジ部５ｃを、該樹脂製フロントフェンダ５の上下方向の熱膨張により該取付けフランジ部５ｃを車幅方向内側に移動させる上部，下部スライド機構１１，１３を介して前記フロントピラー９のアウタピラー９ｂに連結したので、温度上昇によりフロントフェンダ５が上下方向に熱膨張すると、この熱膨張に伴ってスライド機構１１、１３が前記取付けフランジ部５ｃを、図６に破線で示すように車幅方向内方（図３，６の矢印ｉ参照）に移動させる。
【００２９】
詳細には、図４において、熱膨張に伴って、取付けフランジ５ｃの上部突部１１ｃが上方に移動するに伴って、該上部突部１１ｃの上部摺接面１１ｃ′が上部傾斜面１１ｂ′により車幅方向内側に案内され、同様に下部突部１３ｃが下方に移動するに伴って、下部突部１３ｃの下部摺接面１３ｃ′が下部傾斜面１３ｂ′により車幅方向内側に案内される。このようにして前記取付けフランジ部５ｃが車幅方向内側に移動する。
【００３０】
またこのとき、位置決め機構１２において、取付けフランジ部５ｃは位置決めピン１２ｃ及び位置決めブラケット１２ａにより上下方向の移動が規制され、車幅方向の移動のみが許容されるので、前記取付けフランジ部５ｃが、前記熱膨張により上下方向にがたつくこともない。
【００３１】
より具体的には、前記位置決め機構１２と上部，下部スライド機構との間隔をＬ、前記傾斜面の角度をθ、熱膨張による膨張量をΔＬとすると、前記車幅方向内側への移動量Ｗは、Ｗ＝ΔＬ×tanθ、となる。
【００３２】
このように、熱膨張に伴ってフロントフェンダ５の後端の取付けフランジ部５ｃが車幅方向内側に移動するので、該フロントフェンダ５は車幅方向外方にはほとんど変位しない。従って、該フロントフェンダ５を車幅方向最外側に配置した場合でも、車両の全幅規制値をオーバーすることはない。
【００３３】
また、前記上部開口１１ｂ，下部開口１３ｂ及び上部突部１１ｃ及び下部突部１３ｃを平行四辺形状に形成したので、上述の熱膨張時に前記フロントフェンダ５を車幅方向内側により確実に移動させることができる。
【００３４】
なお、本発明では、前記上部開口１１ｂ，１３ｂの形状が前記実施例に限定されないのは勿論であり、要は、上部傾斜面１１ｂ′，上部摺接面１１ｃ′及び下部傾斜面１３ｂ′，下部摺接面１３ｃ′を確保すればよい。
【００３５】
さらにまた、前記実施例では、車体側ブラケット１１ａ，１３ａに上部傾斜面１１ｂ′，下部傾斜面１３ｂ′を形成し、樹脂製フェンダ５の取付けフランジ部５ｃに同様に傾斜する上部摺接面１１ｃ′，下部摺接面１３ｃ′を形成したが、本発明では両方とも傾斜させる必要はなく、何れか一方を傾斜面とし、他方を単なる突起部、例えば棒状の突起部としてもよい。
【００３６】
また、前記実施例ではフロントフェンダの場合を説明したが、本発明は車幅方向最外側に配設される樹脂製パネルに適用すればより有益であり、例えばリヤフェンダに適用した場合も前記と同様の効果が得られる。
【符号の説明】
【００３７】
５  フロントフェンダ（樹脂製フェンダ）
５ｃ  取付けフランジ部（樹脂製フェンダの後端部）
５ｄ  樹脂製フェンダの前端部
９ｂ  アウタピラー（板金製車体）
１１，１３  スライド機構
１１ｂ′，１３ｂ′  傾斜面
１１ｃ，１３ｃ  突起部
【図１】
0005844194.tif 000002
【図２】
0005844194.tif 000003
【図３】
0005844194.tif 000004
【図４】
0005844194.tif 000005
【図５】
0005844194.tif 000006
【図６】
0005844194.tif 000007